(57)【特許請求の範囲】
【請求項１】
所定の光源位置に配置された光源から放射された光を、互いに逆向きとなる第１および第２の照射方向に反射することにより、第１および第２の照射方向へ集光する警告灯用反射鏡であって、
第１の照射方向にある外方位置から見たときに、光源を取り囲む環状または部分的な環状をなし、光源からの光を第１の照射方向へ反射する第１の反射面と、
第１の反射面の背面側に隣接して配置されており、第２の照射方向にある外方位置から見たときに、光源を取り囲む環状または部分的な環状をなし、光源からの光を第２の照射方向に反射する第２の反射面と、
光源位置に対し第１の反射面と反対側で、かつ、第２の反射面の内側に配置され、光源からの光を第１の照射方向に反射するとともに、第２の照射方向へ光を通す第１の開口を有する第３の反射面と、
光源位置に対し第２の反射面と反対側で、かつ、第１の反射面の内側に配置され、光源からの光を第２の照射方向に反射するとともに、第１の照射方向へ光を通す第２の開口を有する第４の反射面とを備え、
第３の反射面により反射された光は、第２の開口を通り第１の照射方向へ照射され、
第４の反射面により反射された光は、第１の開口を通り第２の照射方向へ照射されるようになっていることを特徴とする警告灯用反射鏡。
【請求項２】
請求項１の警告灯用反射鏡において、上記第３の反射面と、第４の反射面により形成された第２の開口とは、第１の照射方向に平行に並び、上記第４の反射面と、第３の反射面により形成された第１の開口とは、第２の照射方向に平行に並んでいることを特徴とする警告灯用反射鏡。
【請求項３】
請求項１または２の警告灯用反射鏡において、上記第３および第４の反射面のそれぞれが、短冊状の複数の部分反射面を有し、対応する上記第１および第２の開口としての所定長さで切り込まれた複数のスリットを形成し、部分反射面とスリットとが交互に並んで配置されていることを特徴とする警告灯用反射鏡。
【請求項４】
請求項１から３の何れか１項の警告灯用反射鏡において、上記第１の反射面の内側縁部と第４の反射面の縁部との間には、光を光源から第１の反射面へ導く第１の導光路が形成され、上記第２の反射面の内側縁部と、第３の反射面の縁部との間には、光を光源から第２の反射面へ導く第２の導光路が形成されていることを特徴とする警告灯用反射鏡。
【請求項５】
請求項１から４の何れか１項の警告灯用反射鏡において、第１から第４の反射面のそれぞれにおける少なくとも一部は、焦点が光源位置に配置された放物面に形成されていることを特徴とする警告灯用反射鏡。
【請求項６】
請求項５の警告灯用反射鏡において、上記第１〜第４の反射面の放物面の焦点と頂点との距離は、互いに等しくされていることを特徴とする警告灯用反射鏡。
【請求項７】
請求項５の警告灯用反射鏡において、
上記第１および第２の反射面の放物面の焦点と頂点との距離は、互いに等しくされ、
上記第３および第４の反射面の放物面の焦点と頂点との距離は、互いに等しくされ、
上記第１および第２の反射面の放物面の焦点と頂点との距離は、第３および第４の反射面の放物面の焦点と頂点との距離よりも小さくされていて、
第１および第２の照射方向にある外方位置から見たときに、第３および第４の反射面の縁部が、第１および第２の反射部材の内側縁部と重なり合っていることを特徴とする警告灯用反射鏡。
【請求項８】
請求項１から７の何れか１項の警告灯用反射鏡と、
この警告灯用反射鏡に設定された光源位置に配置された光源と、
上記警告灯用反射鏡を、上記光源位置を通り、且つ第１および第２の照射方向とは直角に交差する方向に延びる回転中心軸線の回りに回転させる駆動機構とを備えることを特徴とする警告灯。
【発明の詳細な説明】
【技術分野】
【０００１】
本発明は、警告灯用反射鏡および警告灯に関する。
【背景技術】
【０００２】
警告灯には、例えば、緊急用車両等のルーフ上に設置され、回転閃光等の警告信号を発するための回転灯がある。この回転灯は、光源と、この光源からの光を第１の所定方向に反射する第１の反射鏡と、上記光源からの光を第１の所定方向とは反対側の第２の所定方向に反射する第２の反射鏡と、第１および第２の反射鏡を回転させる駆動機構とを有している。第１の反射鏡は、第１の所定方向にある外方位置から見たときに光源を取り囲む環状をなしている。第２の反射鏡は、第２の所定方向にある外方位置から見たときに光源を取り囲む環状をなしている（例えば、特許文献１，２参照。）。
【特許文献１】特開平５−１３５６０７号公報
【特許文献２】特開２００６−１８５８９０号公報
【発明の開示】
【発明が解決しようとする課題】
【０００３】
しかし、第１および第２の反射鏡は環状をなしているので、その環状に取り囲まれた内側が暗く見えることになる。その結果、視認性が低くなっていた。
そこで、本発明の目的は、視認性を高くできる警告灯用反射鏡およびこれを備える警告灯を提供することである。
【課題を解決するための手段】
【０００４】
本発明の警告灯用反射鏡は、所定の光源位置に配置された光源から放射された光を、互いに逆向きとなる第１および第２の照射方向に反射することにより、第１および第２の照射方向へ集光する警告灯用反射鏡であって、第１の照射方向にある外方位置から見たときに、光源を取り囲む環状または部分的な環状をなし、光源からの光を第１の照射方向へ反射する第１の反射面と、第１の反射面の背面側に隣接して配置されており、第２の照射方向にある外方位置から見たときに、光源を取り囲む環状または部分的な環状をなし、光源からの光を第２の照射方向に反射する第２の反射面と、光源位置に対し第１の反射面と反対側で、かつ、第２の反射面の内側に配置され、光源からの光を第１の照射方向に反射するとともに、第２の照射方向へ光を通す第１の開口を有する第３の反射面と、光源位置に対し第２の反射面と反対側で、かつ、第１の反射面の内側に配置され、光源からの光を第２の照射方向に反射するとともに、第１の照射方向へ光を通す第２の開口を有する第４の反射面とを備え、第３の反射面により反射された光は、第２の開口を通り第１の照射方向へ照射され、第４の反射面により反射された光は、第１の開口を通り第２の照射方向へ照射されるようになっていることを特徴とする。
【０００５】
本発明によれば、上記光源位置に配置された光源が光を発する場合に、警告灯用反射鏡を第１の照射方向にある外方位置から見たときに、第１の反射面による反射光は、環状または部分的な環状をなして見えるとともに、その内側に、第３の反射面により反射されて第２の開口を通じて照射された反射光が視認される。従って、光源を取り囲む環状の従来の反射鏡のみが設けられる場合に比べて、視認性が向上する。これと同様に、第２の照射方向にある外方位置から見たときの視認性が向上する。
【０００６】
また、本発明において、上記第３の反射面と、第４の反射面により形成された第２の開口とは、第１の照射方向に平行に並び、上記第４の反射面と、第３の反射面により形成された第１の開口とは、第２の照射方向に平行に並んでいる場合がある。この場合、第３の反射面により第１の照射方向に反射された反射光は、第２の開口を確実に通ることができる。従って、第１の照射方向にある外方位置から見たときの視認性がより一層向上する。同様に、第２の照射方向にある外方位置から見たときの視認性がより一層向上する。
【０００７】
また、本発明において、上記第３および第４の反射面のそれぞれが、短冊状の複数の部分反射面を有し、対応する上記第１および第２の開口としての所定長さで切り込まれた複数のスリットを形成し、部分反射面とスリットとが交互に並んで配置されている場合がある。この場合、部分反射面とスリットとを、第１および第２の反射面の内側に分散して配置できるので、第３および第４の反射面からの反射光を、比較的に大きく見えるようにできる。その結果、視認性がより一層向上する。
【０００８】
また、本発明において、上記第１の反射面の内側縁部と第４の反射面の縁部との間には、光を光源から第１の反射面へ導く第１の導光路が形成され、上記第２の反射面の内側縁部と、第３の反射面の縁部との間には、光を光源から第２の反射面へ導く第２の導光路が形成されているのが好ましい。この場合、光源位置に配置された光源からの光は、第１および第２の導光路を通って第１および第２の反射面に導かれる。
【０００９】
また、本発明において、第１から第４の反射面のそれぞれにおける少なくとも一部は、焦点が光源位置に配置された放物面に形成されている場合がある。この場合、光源位置に配置された光源からの光は、第１および第２の照射方向に向けて効率良く反射される。従って、視認性がより一層向上する。
また、本発明において、上記第１〜第４の反射面の放物面の焦点と頂点との距離が、互いに等しくされている場合には、第１〜第４の反射面の設計が容易になる。
【００１０】
また、本発明において、上記第１および第２の反射面の放物面の焦点と頂点との距離は、互いに等しくされ、上記第３および第４の反射面の放物面の焦点と頂点との距離は、互いに等しくされ、上記第１および第２の反射面の放物面の焦点と頂点との距離は、第３および第４の反射面の放物面の焦点と頂点との距離よりも小さくされていて、第１および第２の照射方向にある外方位置から見たときに、第３および第４の反射面の外側縁部が、第１および第２の反射部材の内側縁部と重なり合っている場合がある。この場合、第１の照射方向にある外方位置から見たときに、第１の反射面による環状または部分的な環状の反射光と、これの内側にある第３の反射面による反射光との間が、暗くなり難いので、視認性がより一層向上する。これと同様に、第２の照射方向にある外方位置から見たときの視認性がより一層向上する。
【００１１】
また、本発明の警告灯は、上記本発明の警告灯用反射鏡と、この警告灯用反射鏡に設定された光源位置に配置された光源と、上記警告灯用反射鏡を、上記光源位置を通り、且つ第１および第２の照射方向とは直角に交差する方向に延びる回転中心軸線の回りに回転させる駆動機構とを備えることを特徴とする。本発明によれば、警告灯の周囲の全方向からの視認性が向上する。
【発明を実施するための最良の形態】
【００１２】
以下では、本発明の一実施の形態を、添付図面を参照して詳細に説明する。本実施形態の警告灯用反射鏡（以下、単に反射鏡ともいう。）は、緊急用車両等のルーフに取り付けられる警告灯としての散光式警告灯に適用されている。なお、本実施形態の反射鏡を、例えば、看板や装置等に固定された警告灯としての回転灯に適用してもよい。図１Ａは、本発明の第１の実施形態の散光式警告灯の平面図であり、図１Ｂは、図１Ａに示す散光式警告灯の正面図である。
【００１３】
散光式警告灯１は、車両のルーフ２（図１Ｂに一点鎖線で図示）に設置されて、全周に向けて光を放光する。散光式警告灯１は、一方向に長い外形を有している。散光式警告灯１の長手方向が車両の幅方向に沿った状態で、散光式警告灯１は、複数、例えば、２つの取付金具３を介してルーフ２に固定されている。
散光式警告灯１は、一方向に長い基台４と、基台４の上に配置されている複数、例えば４つのユニットとしての回転灯５と、基台４の上に配置されており回転灯５からの光を反射する複数の反射部材６と、透光性のグローブ７とを有している。グローブ７は、基台４の上面と、４つの回転灯５と、複数の反射部材６とを覆っている。各反射部材６は、反射面を形成している。
【００１４】
図２は、図１Ａに示す回転灯５の断面図である。図２を参照して、回転灯５は、光源８と、反射鏡９と、ベース１０と、固定保持部材１１と、回転保持部材１２と、駆動機構１３とを有している。反射鏡９は、光源８の周囲を回転し、光源８からの光を反射する。ベース１０は、光源８を固定状態で支持するとともに、反射鏡９を回転自在に支持している。固定保持部材１１は、ベース１０に固定されており、光源８を位置決めした状態で保持している。回転保持部材１２は、回転中心軸線１４の周りに回転自在にベース１０に支持されており、反射鏡９を一体回転できるように保持している。駆動機構１３は、反射鏡９を回転中心軸線１４の周りに回転させることができる。
【００１５】
図３は、図２の回転灯５の反射鏡９の斜視図である。図４Ａは、図３の反射鏡の左側面図であり、図４Ｂは、図３の反射鏡の正面図であり、図４Ｃは、図３の反射鏡の右側面図である。図５は、図２の反射鏡９と光源８との模式図であり、図５Ａは、側方視での模式図であり、図５Ｂは、後述する反射鏡の第３および第４の反射面と光源との平面視での模式図である。
【００１６】
図２，図３を参照して、反射鏡９には、予め定められた光源位置Ｐ０と、この光源位置Ｐ０に配置された光源８からの光が反射される第１および第２の照射方向Ｄ１，Ｄ２とが設定されている。第１および第２の照射方向Ｄ１，Ｄ２は、互いに平行であり且つ互いに逆向きの方向である。上述の所定の光源位置Ｐ０に配置された光源８から放射された光が、反射鏡９により第１および第２の照射方向Ｄ１，Ｄ２にともに反射されることにより、第１および第２の照射方向Ｄ１，Ｄ２へ集光されるようになっている。
【００１７】
また、回転保持部材１２の回転中心軸線１４が上下方向に沿うように、回転保持部材１２はベース１０に取り付けられている。反射鏡９は、回転保持部材１２により位置決めされている。反射鏡９が位置決めされた状態で、光源位置Ｐ０が回転中心軸線１４上に位置し、当該反射鏡９の第１の照射方向Ｄ１（第２の照射方向Ｄ２でもよい。）が回転中心軸線１４に直角に交差している。また、固定保持部材１１は、光源８（具体的には、ＬＥＤの発光素子）を、位置決めされた反射鏡９の光源位置Ｐ０に位置決めしている。
【００１８】
反射鏡９が所定の回転中心軸線１４の周りに駆動機構１３により回転することにより、反射鏡９による反射光の向きが徐々に変化する。これにより、回転灯５は、光を、前後左右の全周に向けて放光する。
なお、以下の説明では、特に説明しないときには、回転中心軸線１４が上下方向に沿っており、且つ第１および第２の照射方向Ｄ１，Ｄ２が前後方向に沿っている場合に則して説明する。また、回転中心軸線１４と第１の照射方向Ｄ１（第２の照射方向Ｄ２でもよい。）とにともに直角に交差する方向を、左右方向（または側方）ともいう。
【００１９】
図２を参照して、ベース１０は、板状の主体部１５と、この主体部１５から上方に突出した支軸１６とを有している。支軸１６の中心軸線は、上述の回転中心軸線１４と一致している。支軸１６と主体部１５とは、互いに固定されており、具体的には単一部材により一体に形成されている。
支軸１６は、軸受１７を介して、回転保持部材１２を回転自在に保持している。支軸１６は、回転保持部材１２を、当該支軸１６の軸方向および径方向に位置決めしている。支軸１６には、固定保持部材１１が支軸１６の軸方向の所定位置に位置決めされた状態で固定されている。支軸１６は、固定保持部材１１を介して、光源８を光源位置Ｐ０、すなわち、所定の回転中心軸線１４上の所定位置に位置決め状態で支持している。
【００２０】
光源８は、ＬＥＤ（発光ダイオード）からなる。ＬＥＤは、固定保持部材１１に設けられた回路基板の導体部分に、電気的に接続されるとともに支持されている。ＬＥＤは単一で設けられている。ＬＥＤの発光素子が、光源位置Ｐ０に配置されている。ＬＥＤは、光を最も強く発する方向としての光軸を有している。この光軸が支軸１６の中心軸線と一致し、光が上向きに発するようにされている。なお、複数のＬＥＤが互いに近接して、光源位置Ｐ０の近傍に配置されていてもよい。
【００２１】
回転保持部材１２は、光源８および固定保持部材１１を取り囲む環状をなしている。具体的には、回転保持部材１２は、軸受１７を介して支持された筒部１８と、反射鏡９を保持しており筒部１８から径方向外方に延設された環状板部１９とを有している。筒部１８は、支軸１６の軸方向に延びており、筒部１８の内周が軸受１７の外周に嵌合している。環状板部１９の上面に、反射鏡９が固定されている。環状板部１９に固定された反射鏡９の光源位置Ｐ０が、支軸１６の中心軸線上の所定位置に位置決めされている。また、環状板部１９の外周に、後述する駆動機構１３の従動部材２２が一体回転できるように固定されている。
【００２２】
駆動機構１３は、駆動源としての電動モータ２０と、この電動モータ２０の回転を反射鏡９に伝達するための伝達機構としての駆動部材２１および従動部材２２とを有している。具体的には、駆動部材２１は、相対的に小径の円筒形状のローラであり、電動モータ２０の出力軸に固定されている。従動部材２２は、相対的に大径の弾性部材により形成されたリングである。ローラの外周面の係合部とリングの側面の係合部とが互いに摩擦を伴って係合することにより、ローラの回転がリングに伝達される。駆動機構１３は、回転中心軸線１４の周りに反射鏡９を回転させることができる。
【００２３】
図２，図３を参照して、反射鏡９は、光源位置Ｐ０の上方および両側の側方を覆うように取り囲む第１および第２の反射部材３１，３２と、第１および第２の反射部材３１，３２の内側に配置されており光源位置Ｐ０を前後方向に挟んだ両側に配置された第３および第４の反射部材３３，３４と、これらの第１〜第４の反射部材３１，３２，３３，３４を支持する支持部材３５とを有している。第１の支持部材３５は、基部としての環状板３６と、この環状板３６から立ち上がる複数の柱部材３７とを有している。環状板３６が、回転保持部材１２に固定されている。第１〜第４の反射部材３１，３２，３３，３４は、第１〜第４の反射面４１，４２，４３，４４を有している。
【００２４】
第１の反射部材３１は、光源８からの光を反射する第１の反射面４１を形成している。具体的に図示しないが、第１の反射部材３１は、第１の反射面４１を形成する反射面形成部材と、この反射面形成部材を担持する担持体とを有している。この担持体は、合成樹脂部材からなる。反射面形成部材は、担持体の表面上にアルミニウム蒸着により形成された薄い膜からなる。なお、反射面形成部材と、担持体とが、単一部材により形成されていてもよい。また、その都度説明しないが、第２〜第４の反射部材３２，３３，３４についても同様に、第２〜第４の反射面４２，４３，４４を形成する反射面形成部材と、担持体とを有している。
【００２５】
図２，図３，図４Ｃを参照して、第１の反射面４１は、凹湾曲しており、光源８に対向している。第１の反射面４１は、第１の照射方向Ｄ１にある外方位置（反射鏡９の周囲の所定の位置）から見たときに、光源８を取り囲む部分的な環状をなしており、具体的には、逆Ｕ字形形状をなしており、光源８の左右の側方および上方を覆っている。また、第１の反射面４１は、内側縁部４５を有している。第１の反射面４１は、回転放物面（以下、単に放物面ともいう。）の一部をなす中央部４６と、この中央部４６の左右両側に延設された延設部４７とを有している。
【００２６】
図２，図５Ａを参照して、第１の反射面４１の中央部４６の上記放物面の軸線４８（焦点４９と頂点５０とを通る線）が、第１の照射方向Ｄ１に平行とされている。放物面の焦点４９が、反射鏡９の光源位置Ｐ０に一致している。第１の反射面４１の中央部４６は、光源８からの光を第１の照射方向Ｄ１に平行に反射する。また、第１の反射面４１の延設部４７は、光源８からの光を、第１の照射方向Ｄ１へ反射する。
【００２７】
図２，図４Ｂを参照して、第２の反射部材３２は、第１の反射部材３１と同じ形状をなしている。第１および第２の反射部材３１，３２は、互いに回転中心軸線１４を対称軸とした線対称の関係になっている。第２の反射部材３２による反射光の向きが、第２の照射方向Ｄ２（第１の照射方向Ｄ１とは逆向き）になるように、第１および第２の反射部材３１，３２は、前後方向に関して互いに逆向きに配置されている。第２の反射部材３２については、第１の反射部材３１との相違点を中心に説明する。
【００２８】
図２，図４Ａを参照して、第２の反射部材３２は、光源８からの光を反射する第２の反射面４２を形成している。第２の反射面４２は、第１の反射面４１の背面側に隣接して配置されている。第２の反射面４２は、内側縁部５２と、中央部５３と、一対の延設部５４とを有している。
図４Ａ，図４Ｃを参照して、第１の照射方向Ｄ１（第２の照射方向Ｄ２でもよい。）にある外方位置から見たときに、第１の反射面４１の内側縁部４５と、第２の反射面４２の内側縁部５２とは、互いに重なり合っている。
【００２９】
図２，図５Ａを参照して、第２の反射面４２の中央部５３の放物面の軸線５５（焦点５６と頂点５７とを通る線）が、第２の照射方向Ｄ２に平行にされている。放物面の頂点５７は、光源位置Ｐ０を挟んで、第１の反射面４１の放物面の頂点５０とは反対側に配置されている。第２の反射面４２の中央部５３は、光源８からの光を第２の照射方向Ｄ２に平行に反射する。なお、上述の点を除いて、第２の反射面４２の各部５２〜５７は、第１の反射面４１の対応する各部４５〜５０と同じに構成されている。
【００３０】
図２，図３を参照して、第３の反射部材３３は、光源８からの光を反射する第３の反射面４３を形成している。具体的には、第３の反射部材３３は、湾曲した短冊状をなす複数の部分反射部材５９を有し、第１の開口としての複数のスリット６０を形成している。
複数の部分反射部材５９は、左右方向に関して所定間隔を隔てて並んでいる。各部分反射部材５９は、支持部材３５の環状板３６の上面から所定長さで延設されており、環状板３６に片持ち状態で支持されている。
【００３１】
各スリット６０は、所定長さで切り込まれている。すなわち、各スリット６０は、上下方向に関して所定長さで延びており、各スリット６０の上端部が開放されている。複数のスリット６０は、後述するように、第４の反射面４４からの反射光を第２の照射方向Ｄ２に通す第１の開口として機能する（図５Ｂ参照）。
各部分反射部材５９が、短冊状の部分反射面６１を形成している。部分反射面６１とスリット６０とが、左右方向に交互に並んで配置されている。複数の部分反射面６１が、第３の反射面４３を構成している。
【００３２】
第３の反射面４３は、光源８からの光を第１の照射方向Ｄ１に反射するとともに、第１の開口としての上述の複数のスリット６０を形成している。具体的には、第３の反射面４３は、凹湾曲しており、光源８に対向して配置されている。第３の反射面４３は、光源位置Ｐ０よりも第２の照射方向Ｄ２側に設けられている。第３の反射面４３は、第２の照射方向Ｄ２にある外方位置から見たときに、第２の反射面４２の内側に配置されている。第３の反射面４３の全面が、放物面の一部をなしている。
【００３３】
図２，図５Ａを参照して、第３の反射面４３の放物面の軸線６２（焦点６３と頂点６４とを通る線）が、第１の照射方向Ｄ１に平行とされている。この放物面の焦点６３が、反射鏡９の光源位置Ｐ０に一致している。各部分反射面６１が、第３の反射面４３の放物面の相異なる部分を形成している。
図３，図４Ａを参照して、第３の反射面４３は、縁部６５を有している。この縁部６５は、第２の反射面４２の内側縁部５２に対向して、この内側縁部５２から所定距離を隔てて設けられており、第３の反射面４３の複数の部分反射面６１の上側縁部６６が互いに連なることにより構成されている。
【００３４】
図２，図３を参照して、第４の反射部材３４は、第３の反射部材３３と同じ形状をなしている。第３および第４の反射部材３３，３４は、平面視（回転中心軸線１４が延びる方向から見たときに）で、互いに回転中心軸線１４を対称軸とした点対称の関係になっている。第４の反射部材３４による反射光の向きが、第２の照射方向Ｄ２（第１の照射方向Ｄ１とは逆向き）になるように、第３および第４の反射部材３３，３４は、前後方向に関して互いに逆向きに配置されている。第４の反射部材３４については、第３の反射部材３３との相違点を中心に説明する。
【００３５】
第４の反射部材３４は、光源８からの光を反射する第４の反射面４４を形成している。第４の反射面４４と、第３の反射面４３とは、光源位置Ｐ０を挟んで、第１の照射方向Ｄ１（第２の照射方向Ｄ２でもよい。）に沿って互いに対向している。
第４の反射部材３４は、複数の部分反射部材６８を有し、第２の開口としての複数のスリット６９を形成している。各部分反射部材６８が、部分反射面７０を形成している。複数の部分反射面７０が、第４の反射面４４を構成している。第４の反射面４４は、光源８からの光を第２の照射方向Ｄ２に平行に反射するとともに、第２の開口としての上述の複数のスリット６９を形成している。第４の反射面４４は、光源位置Ｐ０よりも第１の照射方向Ｄ１側に設けられている。第４の反射面４４は、第１の照射方向Ｄ１にある外方位置から見たときに、第１の反射面４１の内側に配置されている。
【００３６】
図２，図５Ａを参照して、第４の反射面４４の放物面の軸線７１（焦点７２と頂点７３とを通る線）が、第２の照射方向Ｄ２に平行にされている。また、第４の反射面４４の放物面の頂点７３は、光源位置Ｐ０を挟んで、第３の反射面４３の放物面の頂点６４とは反対側に配置されている。
図３，図４Ｃを参照して、第４の反射面４４は、縁部７４を有している。この縁部７４は、第１の反射面４１の内側縁部４５に対向して、この内側縁部４５から所定距離を隔てて設けられている。第４の反射面４４の複数の部分反射面７０の上側縁部７５が互いに連なることにより、第４の反射面４４の縁部７４が構成されている。
【００３７】
図２、図３および図５Ｂを参照して、複数のスリット６９は、後述するように第３の反射面４３からの反射光を第１の照射方向Ｄ１に通す第２の開口として機能する。なお、上述の点を除いて、第４の反射部材３４および第４の反射面４４の各部６８〜７５は、第３の反射部材３３および第３の反射面４３の対応する各部５９〜６６と同じに構成されている。
【００３８】
図２，図４Ａ，図４Ｃを参照して、第１の照射方向Ｄ１（第２の照射方向Ｄ２でもよい。）にある外方位置から見たときに、第３の反射面４３の縁部６５と、第４の反射面４４の縁部７４とは、互いに重なり合っている。
また、第３の反射面４３の各部分反射面６１と、第４の反射面４４により形成された第２の開口としての各スリット６９との、互いに対応するもの同士が、第１の照射方向Ｄ１に平行に並んでいる。また、第４の反射面４４の各部分反射面７０と、第３の反射面４３により形成された第１の開口としての各スリット６０との、互いに対応するもの同士が、第２の照射方向Ｄ２に平行に並んでいる（図５Ｂ参照）。
【００３９】
図２，図５Ａを参照して、第１の反射面４１の放物面の焦点４９と頂点５０との距離Ｌ１、第２の反射面４２の放物面の焦点５６と頂点５７との距離Ｌ２、第３の反射面４３の放物面の焦点６３と頂点６４との距離Ｌ３、および第４の反射面４４の放物面の焦点７２と頂点７３との距離Ｌ４は、互いに等しくされている。第１および第３の反射面４１，４３は、互いに共通の放物面における相異なる部分を形成している。第２および第４の反射面４２，４４は、互いに共通の放物面における相異なる部分を形成している。
【００４０】
また、第１の反射面４１の内側縁部４５と第４の反射面４４の縁部７４との間には、隙間７７が開けられている。この隙間７７は、光を光源８から第１の反射面４１へ導く第１の導光路として機能する。同様に、第２の反射面４２の内側縁部５２と第３の反射面４３の縁部６５との間には、隙間７８が開けられている。この隙間７８は、光を光源８から第２の反射面４２へ導く第２の導光路として機能する。
【００４１】
光源８からの光の一部は、第１の導光路としての隙間７７を通り、第１の反射面４１に達し、第１の反射面４１により反射される。これによる反射光は、第１の照射方向Ｄ１に照射される。また、光源８からの光の一部は、第２の導光路としての隙間７８を通り、第２の反射面４２に達し、第２の反射面４２により反射される。これによる反射光は、第２の照射方向Ｄ２に照射される。
【００４２】
また、光源８からの光の一部は、第３の反射面４３により反射される。これによる反射光は、第２の開口としてのスリット６９を通り第１の照射方向Ｄ１へ照射される。また、光源８からの光の一部は、第３の反射面４３の第１の開口としてのスリット６０を通って周囲に直接照射される。
また、光源８からの光の一部は、第４の反射面４４により反射される。これによる反射光は、第１の開口としてのスリット６０を通り第２の照射方向Ｄ２へ照射される。また、光源８からの光の一部は、第４の反射面４４の第２の開口としてのスリット６９を通って周囲に直接照射される。
【００４３】
その結果、第１の照射方向Ｄ１にある外方位置から見たときには、第１の反射面４１による反射光が部分的な環状をなして見える。これとともに、この環状の内側に拡がって第３の反射面４３による反射光が縦縞をなして見える。また、縦縞の縞の間には、スリット６９を通って直接照射された光が見えるようになっている。
また、第２の照射方向Ｄ２にある外方位置から見たときには、第２の反射面４２による反射光が部分的な環状をなして見える。これとともに、この環状の内側に拡がって第４の反射面４４による反射光が縦縞をなして見える。また、縦縞の縞の間には、スリット６０を通って直接照射された光が見える。
【００４４】
以上説明したように、本実施形態の警告灯用反射鏡９は、第１の照射方向Ｄ１にある外方位置から見たときに、光源８を取り囲む部分的な環状をなし、光源８からの光を第１の照射方向Ｄ１へ反射する第１の反射面４１を備えている。また、第１の反射面４１の背面側に隣接して配置されており、第２の照射方向Ｄ２にある外方位置から見たときに、光源８を取り囲む部分的な環状をなし、光源８からの光を第２の照射方向Ｄ２に反射する第２の反射面４２を備えている。また、光源位置Ｐ０よりも第２の照射方向Ｄ２側に設けられ、第２の照射方向Ｄ２にある外方位置から見たときに、第２の反射面４２の内側に配置され、光源８からの光を第１の照射方向Ｄ１に反射するとともに、第２の照射方向Ｄ２へ光を通す第１の開口としてのスリット６０を形成する第３の反射面４３を備えている。また、光源位置Ｐ０よりも第１の照射方向Ｄ１側に、第３の反射面４３に対向して設けられ、第１の照射方向Ｄ１にある外方位置から見たときに、第１の反射面４１の内側に配置され、光源８からの光を第２の照射方向Ｄ２に反射するとともに、第１の照射方向Ｄ１へ光を通す第２の開口としてのスリット６９を形成する第４の反射面４４を備えている。第３の反射面４３により反射された光は、スリット６９を通り第１の照射方向Ｄ１へ照射される。第４の反射面４４により反射された光は、スリット６０を通り第２の照射方向Ｄ２へ照射されるようになっている。
【００４５】
本実施形態によれば、第１の照射方向Ｄ１にある外方位置から見たときに、第１の反射面４１による反射光は、部分的な環状をなして見えるとともに、その内側に、第３の反射面４３により反射されてスリット６０を通じて照射された反射光が視認される。従って、光源８を取り囲む環状の従来の反射鏡のみが設けられる場合に比べて、視認性が向上する。これと同様に、第２の照射方向Ｄ２にある外方位置から見たときの視認性が向上する。しかも、光源８を第１および第２の照射方向Ｄ１，Ｄ２に関して兼用できるので、高い視認性を安価に達成することができる。
【００４６】
また、第３の反射面４３の部分反射面６１と、第２の開口としてのスリット６９とは、第１の照射方向Ｄ１に平行に並んでいる。また、第４の反射面４４の部分反射面７０と、第１の開口としてのスリット６０とは、第２の照射方向Ｄ２に平行に並んでいる。この場合、第３の反射面４３により第１の照射方向Ｄ１に反射された反射光は、スリット６９を確実に通ることができる。従って、第１の照射方向Ｄ１にある外方位置から見たときの視認性がより一層向上する。同様に、第２の照射方向Ｄ２にある外方位置から見たときの視認性がより一層向上する。
【００４７】
また、本実施形態では、第３および第４の反射面４３，４４のそれぞれが、短冊状の複数の部分反射面６１，７０を有し、対応する上記第１および第２の開口としての所定長さで切り込まれた複数のスリット６０，６９を形成している。部分反射面６１とスリット６０とが交互に並んで配置されている。部分反射面７０とスリット６９とが交互に並んで配置されている。この場合、部分反射面６１とスリット６０とを、第２の反射面４２の内側に分散して配置できる。これとともに、部分反射面７０とスリット６９とを、第１の反射面４１の内側に分散して配置できる。これにより、第３の反射面４３からの反射光を、比較的に大きく見えるようにできるとともに、第４の反射面４４からの反射光を、比較的に大きく見えるようにできる。その結果、視認性がより一層向上する。
【００４８】
また、第１の反射面４１の内側縁部４５と第４の反射面４４の縁部７４との間には、光を光源８から第１の反射面４１へ導く第１の導光路としての隙間７７が形成されている。第２の反射面４２の内側縁部５２と、第３の反射面４３の縁部６５との間には、光を光源８から第２の反射面４２へ導く第２の導光路としての隙間７８が形成されている。この場合、光源位置Ｐ０に配置された光源８からの光は、隙間７７，７８を通って第１および第２の反射面４１，４２に確実に導かれる。
【００４９】
また、本実施形態において、第１から第４の反射面４１，４２，４３，４４のそれぞれにおける少なくとも一部は、焦点４９，５６，６３，７２が光源位置Ｐ０に配置された放物面に形成されている。この場合、光源位置Ｐ０に配置された光源８からの光は、第１および第２の照射方向Ｄ１，Ｄ２に向けて効率良く反射される。従って、視認性がより一層向上する。
【００５０】
また、本実施形態では、第１〜第４の反射面４１，４２，４３，４４の放物面の上記距離Ｌ１，Ｌ２，Ｌ３，Ｌ４は、互いに等しくされている。この場合、第１〜第４の反射面４１，４２，４３，４４を容易に設計できる。
また、本実施形態の散光式警告灯１およびこれの回転灯５は、警告灯用反射鏡９を備えている。また、この警告灯用反射鏡９に設定された光源位置Ｐ０に配置された光源８を備えている。また、光源位置Ｐ０を通り且つ第１および第２の照射方向Ｄ１，Ｄ２とは直角に交差する方向に延びる回転中心軸線１４の回りに、警告灯用反射鏡９を回転させる駆動機構１３とを備えている。これにより、散光式警告灯１および回転灯５の周囲の全方向からの視認性が向上する。
【００５１】
また、本実施形態について、以下のような変形例を考えることができる。以下の説明では、上述の実施形態と異なる点を中心に説明する。他の構成については、上述の実施形態と同様であるので、図に同一符号を付して、その説明を省略する。
図６は、本発明の第２の実施形態の散光式警告灯の回転灯５の断面図である。図７は、図６の回転灯５の反射鏡９の斜視図である。図８Ａは、図７の反射鏡９の左側面図であり、図８Ｂは、図７の反射鏡９の正面図であり、図８Ｃは、図７の反射鏡９の右側面図である。図９は、図６の反射鏡９と光源８との模式図である。
【００５２】
第２の実施形態の反射鏡９は、第１の反射部材３１の第１の反射面４１Ａと、第２の反射部材３２の第２の反射面４２Ａと、第３の反射部材３３の第３の反射面４３Ａと、第４の反射部材３４の第４の反射面４４Ａとを有している。以下の点を除いて、本実施形態の第１〜第４の反射面４１Ａ，４２Ａ，４３Ａ，４４Ａは、第１の実施形態の第１〜第４の反射面４１，４２，４３，４４と同じに構成されている。
【００５３】
第１の反射面４１Ａの中央部４６の放物面の焦点４９と頂点５０との距離Ｌ１は、その内側に配置された第４の反射面４４Ａの放物面の焦点７２と頂点７３との距離Ｌ４よりも小さくされている（Ｌ１＜Ｌ４）。第２の反射面４２Ａの中央部５３の放物面の焦点５６と頂点５７との距離Ｌ２は、その内側に配置された第３の反射面４３Ａの放物面の焦点６３と頂点６４との距離Ｌ３よりも小さくされている（Ｌ２＜Ｌ３）。
【００５４】
第１の照射方向Ｄ１にある外方位置から見たときに、第４の反射面４４Ａの縁部７５が、第１の反射面４１の内側縁部４５と重なり合っている。第１の反射面４１Ａの内側縁部４５と第４の反射面４４Ａの縁部７５との間には、第１の導光路としての隙間７７が開けられている。第２の照射方向Ｄ２にある外方位置から見たときに、第３の反射面４３Ａの縁部６５が、第２の反射面４２Ａの内側縁部５２と重なり合っている。第２の反射面４２Ａの内側縁部５２と第３の反射面４３Ａの縁部６５との間には、第２の導光路としての隙間７８が開けられている。
【００５５】
本実施形態では、第１の照射方向Ｄ１にある外方位置から見たときに、第１の反射面４１Ａによる部分的な環状の反射光と、その内側全体に拡がる第３の反射面４３Ａによる縦縞状の反射光とが視認される。従って、視認性をより一層高めることができる。同様に、第２の照射方向Ｄ２にある外方位置から見たときの視認性をより一層高めることができる。特に、本実施形態では、第１および第２の反射面４１Ａ，４２Ａによる部分的な環状の反射光と、第３および第４の反射面４３Ａ，４４Ａによる反射光との間が、暗くなり難いので、視認性がより一層向上する。
【００５６】
図１０は、本発明の第３の実施形態の散光式警告灯の回転灯５の断面図である。図１１は、図１０の回転灯５の反射鏡９の斜視図である。図１２Ａは、図１０の反射鏡９の左側面図であり、図１２Ｂは、図１０の反射鏡９の正面図であり、図１２Ｃは、図１０の反射鏡９の右側面図である。図１３は、図１０の反射鏡９と光源８との模式図である。
第３の実施形態では、光源８Ｂは、電球からなる。また、反射鏡９は、第１の反射部材３１の第１の反射面４１Ｂと、第２の反射部材３２の第２の反射面４２Ｂと、第３の反射部材３３の第３の反射面４３Ｂと、第４の反射部材３４の第４の反射面４４Ｂとを有している。以下の点を除いて、本実施形態の第１〜第４の反射面４１Ｂ，４２Ｂ，４３Ｂ，４４Ｂは、第２の実施形態の第１〜第４の反射面４１Ａ，４２Ａ，４３Ａ，４４Ａと同じに構成されている。
【００５７】
本実施形態では、第１および第２の照射方向Ｄ１，Ｄ２にある外方位置から見たときに、第１および第２の反射面４１Ｂ，４２Ｂが、光源８を全周にわたって取り囲む環状をなしている。また、第１および第２の反射面４１Ｂ，４２Ｂの全面が放物面により形成されている。第３および第４の反射面４３Ｂ，４４Ｂの縁部６５，７４が、ほぼ円形をなしている。これにより、電球からなる光源８からの拡散光を、効果的に第１および第２の照射方向Ｄ１，Ｄ２に向けて反射して集光することができる。
【００５８】
図２，図５を参照して、第１の実施形態において、第１および第２の反射面４１，４２は、光源位置Ｐ０を取り囲む部分的な環状をなしていたが、これには限定されない。例えば、第３の実施形態と同様に、第１の実施形態の第１および第２の反射面４１，４２が、光源位置Ｐ０を取り囲む環状をなしてもよい。
また、上述の第１の実施形態の第１の反射面４１の一部のみが放物面に形成されていたが、これには限定されない。例えば、第１の反射面４１の全面が放物面に形成されてもよい。第１の反射面４１の少なくとも一部が放物面に形成される場合には、放物面により反射光が、当該第１の反射面４１の照射方向としての第１の照射方向Ｄ１に平行に集光され易くなるので、第１の照射方向Ｄ１の外方位置から見たときの視認性を高めるのに好ましい。第１の実施形態の第２の反射面４２についても同様である。また、第２の実施形態の第１および第２の反射面４１Ａ，４２Ａについても同様である。
【００５９】
また、第１の実施形態の第３の反射面４３の少なくとも一部が放物面に形成されるようにしてもよい。また、第１の実施形態の第４の反射面４４についても同様である。また、第２の実施形態の第３および第４の反射面４３Ａ，４４Ａについても同様である。また、第３の実施形態の第１〜第４の反射面４１Ｂ，４２Ｂ，４３Ｂ，４４Ｂについても同様である。
【００６０】
また、逆に、第１の実施形態の第１の反射面４１の少なくとも一部を、放物面以外の形状、例えば放物面に近似した凹湾曲面形状や、平面形状により形成することも考えられる。他の反射面についても同様である。
また、上述の各実施形態における放物面は、回転放物面であったが、これには限定されず、例えば、反射面の一部が、断面放物線形状をなして、樋状に延びていてもよい。
【００６１】
また、スリット６０，６９は、縦長であったが、横長であってもよいし、斜めに延びていてもよい。また、各スリット６０，６９は、少なくとも１つがあればよい。
その他、特許請求の範囲に記載された事項の範囲内で、種々の変更を施すことができる。
【図面の簡単な説明】
【００６２】
【図１】図１Ａは、本発明の第１の実施形態の散光式警告灯の平面図であり、図１Ｂは、図１Ａに示す散光式警告灯の正面図である。
【図２】図１Ａに示す回転灯の断面図である。
【図３】図２の回転灯の反射鏡の斜視図である。
【図４】図４Ａは、図３の反射鏡の左側面図であり、図４Ｂは、図３の反射鏡の正面図であり、図４Ｃは、図３の反射鏡の右側面図である。
【図５】図５Ａは、図２の反射鏡と光源との側方視での模式図であり、図５Ｂは、図２の反射鏡の第３および第４の反射面と光源との平面視での模式図である。
【図６】本発明の第２の実施形態の散光式警告灯の回転灯の断面図である。
【図７】図６の回転灯の反射鏡の斜視図である。
【図８】図８Ａは、図７の反射鏡の左側面図であり、図８Ｂは、図７の反射鏡の正面図であり、図８Ｃは、図７の反射鏡の右側面図である。
【図９】図６の反射鏡と光源との模式図である。
【図１０】本発明の第３の実施形態の散光式警告灯の回転灯の断面図である。
【図１１】図１０の回転灯の反射鏡の斜視図である。
【図１２】図１２Ａは、図１０の反射鏡の左側面図であり、図１２Ｂは、図１０の反射鏡の正面図であり、図１２Ｃは、図１０の反射鏡の右側面図である。
【図１３】図１０の反射鏡と光源との模式図である。
【符号の説明】
【００６３】
１…散光式警告灯（警告灯）、５…回転灯（警告灯）、８…光源、９…警告灯用反射鏡、１３…駆動機構、１４…回転中心軸線、４１…第１の反射面、４２…第２の反射面、４３…第３の反射面、４４…第４の反射面、４５…（第１の反射面の）内側縁部、４９…（第１の反射面の放物面の）焦点、５０…（第１の反射面の放物面の）頂点、５２…（第２の反射面の）内側縁部、５６…（第２の反射面の放物面の）焦点、５７…（第２の反射面の放物面の）頂点、６０…スリット（第１の開口）、６１…（第３の反射面の）部分反射面、６３…（第３の反射面の放物面の）焦点、６４…（第３の反射面の放物面の）頂点、６５…（第３の反射面の）縁部、６９…スリット（第２の開口）、７０…（第４の反射面の）部分反射面、７２…（第４の反射面の放物面の）焦点、７３…（第４の反射面の放物面の）頂点、７４…（第４の反射面の）縁部、７７…隙間（第１の導光路）、７８…隙間（第２の導光路）、Ｄ１…第１の照射方向、Ｄ２…第２の照射方向、Ｌ１…（第１の反射面の放物面の焦点と頂点との）距離、Ｌ２…（第２の反射面の放物面の焦点と頂点との）距離、Ｌ３…（第３の反射面の放物面の焦点と頂点との）距離、Ｌ４…（第４の反射面の放物面の焦点と頂点との）距離、Ｐ０…光源位置。
【図１】
0005016422.tif 000002
【図２】
0005016422.tif 000003
【図３】
0005016422.tif 000004
【図４】
0005016422.tif 000005
【図５】
0005016422.tif 000006
【図６】
0005016422.tif 000007
【図７】
0005016422.tif 000008
【図８】
0005016422.tif 000009
【図９】
0005016422.tif 000010
【図１０】
0005016422.tif 000011
【図１１】
0005016422.tif 000012
【図１２】
0005016422.tif 000013
【図１３】
0005016422.tif 000014